(57)【特許請求の範囲】
【請求項１】
周壁(16)の上端に開閉自在に蓋(7)を連設し、蓋(7)の両側と周壁(16)の上端から延びるフラップ(8)とを三角状の連結片(10)を介して繋ぎ、フラップ(8)と連結片(10)との境界を斜折線(11)とし、蓋(7)とフラップ(8)の開閉を連動させた包装箱において、フラップ(8)に中折線(12)を入れ、フラップ(8)の先端部にフック部(13)を形成し、フック部(13)が係合するガイド片(9)を設け、蓋(7)を開くと、フック部(13)がガイド片(9)の端縁に沿ってスライドしつつ、フラップ(8)が中折線(12)沿いに山形に折れ曲がって盛り上がるようにしたことを特徴とする仕掛け付き包装箱。
【発明の詳細な説明】
【技術分野】
【０００１】
この発明は、蓋に連動する仕掛けにより訴求力を高めた包装箱に関するものである。
【背景技術】
【０００２】
従来より、下記特許文献１に記載されたように、周壁の上端に開閉自在に蓋を連設し、蓋の両側と周壁の上端から延びる平板状のフラップとを三角状の連結片を介して繋ぎ、フラップと連結片との境界を斜折線とし、蓋とフラップの開閉が連動するようにした包装箱が知られている。
【０００３】
【特許文献１】実開昭５６−４９７２３号公報
【発明の開示】
【発明が解決しようとする課題】
【０００４】
しかしながら、上記包装箱は、包装作業の利便性や、包装状態での保形性を高めることを目的としており、例えば、商談における販売促進効果を得ることはできなかった。
【０００５】
そこで、この発明は、開封時に強い印象を与えることができる訴求性に優れた包装箱を提供することを課題とする。
【課題を解決するための手段】
【０００６】
上記課題を解決するため、この発明は、周壁の上端に開閉自在に蓋を連設し、蓋の両側と周壁の上端から延びるフラップとを三角状の連結片を介して繋ぎ、フラップと連結片との境界を斜折線とし、蓋とフラップの開閉を連動させた包装箱において、フラップに中折線を入れ、フラップの先端部にフック部を形成し、フック部が係合するガイド片を設け、蓋を開くと、フック部がガイド片の端縁に沿ってスライドしつつ、フラップが中折線沿いに山形に折れ曲がって盛り上がるようにしたのである。
【発明の効果】
【０００７】
この発明に係る包装箱では、開封に伴い蓋を開いたとき、蓋に連動してフラップが漸次盛り上がり、立体化するので、商品を包装して、販売促進活動等に使用すると、相手方の興味を惹くことができ、高い訴求性を得ることができる。
【発明を実施するための最良の形態】
【０００８】
まず、この発明の第１実施形態を図１乃至図３に基づいて説明する。
【０００９】
この包装箱は、図１に示すような段ボール製のブランクから形成される。このブランクでは、周壁１６の構成部材として、前壁１の一側に側壁２、後壁３及び側壁２が順次連設され、前壁１の他側には継代片４が連設されている。前壁１及び後壁３の下端には底板５が、側壁２の下端には底板６がそれぞれ連設され、後壁３の上端には蓋７が、一対の側壁２の上端にはフラップ８が、前壁１の上端にはガイド片９がそれぞれ連設されている。
【００１０】
蓋７の両側とフラップ８とは、三角状の連結片１０を介して繋がれ、フラップ８と連結片１０との境界には、側壁２と蓋７のなす直角を二等分する４５°の斜折線１１が入れられている。この斜折線１１は、折目と切目とが断続するリード罫とされている。
【００１１】
フラップ８には、中間部に幅方向の中折線１２が入れられ、この中折線１２も折目と切目とが断続するリード罫とされている。フラップ８の先端部には、外側へ湾曲したフック部１３が形成され、ガイド片９の先端縁両側部には、フック部１３が当接して蓋７の開度を制限するストッパ部９ａが形成されている。
【００１２】
蓋７の先端中央部には差込片１４が設けられ、ガイド片９の基端中央部には、前壁１との稜線に沿ってスリット状の差込穴１５が設けられている。
【００１３】
このようなブランクを組み立てて商品を包装するには、図２に示すように、前壁１、一対の側壁２及び後壁３を角筒状に折り曲げ、継代片４を他方の側壁２に貼り付けて周壁１６を形成し、底板５，６を一組ずつ貼り合わせ、対向する底板５同士をかみ合わせることにより底面を閉止する。
【００１４】
次に、箱内に商品を収納し、ガイド片９を内側水平方向へ折り曲げ、斜折線１１を谷折りして連結片１０を折り込みつつ、フラップ８及び蓋７を閉じると共に、フック部１３をガイド片９の下方へ押し込むようにして、ガイド片９に係合させ、差込片１４を差込穴１５に差し込んで封緘する。
【００１５】
一方、このように包装された商品を、例えば、メーカーの営業担当者が流通業界の購買担当者に対して取扱契約を獲得するために説明する際には、図３に示すように、差込片１４を差込穴１５から引き抜き、商品が見えるように蓋７を開く。
【００１６】
これに伴い、フラップ８の中折線１２より基端側が連結片１０に引き上げられ、フック部１３がガイド片９の端縁に沿ってスライドしつつ、フラップ８が中折線１２沿いに山形に折れ曲がって盛り上がる。
【００１７】
このため、上記包装箱では、フラップ８に商品のイメージを高める印刷等を施しておくと、開きながら立体化するフラップ８により、購買担当者の興味を惹きつけて印象を強めることができ、販売促進効果を期待することができる。
【００１８】
次に、この発明の第２実施形態を図４乃至図５に基づいて説明する。なお、ここでは、上記第１実施形態と異なる部分についてのみ言及する。
【００１９】
この包装箱は、板紙を材料とするものであり、そのブランクでは、図４に示すように、蓋７が後壁３から順次繋がる外蓋板７ａ及び内蓋板７ｂから構成されている。また、中折線１２が連結片１０の基部外端が谷となるようにＶ字状に入れられ、ガイド片９の端縁中央部には、切込により弧状縁９ｂが形成されている。
【００２０】
このブランクを組み立てる際には、図５に示すように、外蓋板７ａ及び内蓋板７ｂとを貼り合わせて蓋７を形成する。
【００２１】
そして、蓋７を開くと、フラップ８は、上面が三角状になって盛り上がり、対向するフラップ８の間の開口部の間隔が後方へかけて大きくなるので、特徴的な立体となるフラップ８と、変化のある開口部により、開封時の印象を強めることができる。
【００２２】
次に、この発明の第３実施形態を図６乃至図７に基づいて説明する。なお、ここにおいても、上記第１及び第２実施形態と異なる部分についてのみ言及する。
【００２３】
この包装箱は、図６に示す板紙のブランクから成り、図７に示すように、組立状態において、周壁１６が六角筒を形成するものであり、側壁２は、両側２枚ずつ鈍角をなすように連設されている。底面は１枚の六角形の底板５により閉止され、底板５と側壁２とは、それぞれの継代片５ａ，２ａを相手方に貼り付けることにより固定される。外蓋板７ａ及び内蓋板７ｂも六角形とされ、ガイド片９も両側が斜辺とされて、その継代片９ｃが側壁２に貼り付けられる。
【００２４】
このような包装箱においては、六角柱状の特徴ある形状と、開きながら立体化するフラップ８により、包装状態だけでなく、開封時の印象を強めることができ、販売促進効果を期待することができる。
【００２５】
なお、上記各実施形態では、蓋７が後壁３の上端にのみ連設したものを例示したが、蓋７は、前壁１及び後壁３の上端にそれぞれ観音開きとなるように連設して、対向する側壁２の内面間に渡した仕切にガイド片９を設け、このガイド片９に沿ってフラップ８のフック部１３がスライドするようにしてもよい。
【図面の簡単な説明】
【００２６】
【図１】この発明の第１実施形態に係る包装箱のブランクを示す図
【図２】同上の包装状態を示す斜視図
【図３】同上の開蓋状態を示す斜視図
【図４】この発明の第２実施形態に係る包装箱のブランクを示す図
【図５】同上の開蓋状態を示す斜視図
【図６】この発明の第３実施形態に係る包装箱のブランクを示す図
【図７】同上の開蓋状態を示す斜視図
【符号の説明】
【００２７】
１  前壁
２  側壁
３  後壁
４  継代片
５，６  底板
７  蓋
７ａ  外蓋板
７ｂ  内蓋板
８  フラップ
９  ガイド片
１０  連結片
１１  斜折線
１２  中折線
１３  フック部
１４  差込片
１５  差込穴
１６  周壁
【図１】
0004903651.tif 000002
【図２】
0004903651.tif 000003
【図３】
0004903651.tif 000004
【図４】
0004903651.tif 000005
【図５】
0004903651.tif 000006
【図６】
0004903651.tif 000007
【図７】
0004903651.tif 000008